(57)【要約】【課題】分草用切断装置への伝動が操縦部側から刈刃を介して動力を伝達する構成であるため、伝動機構が複雑化し、刈取装置の重量が増大するという課題がある。【解決手段】テーブル１１は、オーガー８を有する後テーブル部２８と分草体２９を有する前テーブル部３０とに分割する。前テーブル部３０は、刈刃１３を取付けた後テーブル部２８に取付ける第１ユニット３１と、刈刃１３を前端部に取付けた延長底板９Ａを有する第２ユニット３２とに交換可能にする。第２ユニット３２の刈取穀稈と未刈り穀稈を切断分草する分草用切断装置３５の上部を支持フレーム４１によって側板６に支持し、エンジンからの一定方向回転を往復回動運動に変換させる変換機構２７を設け、該変換機構２７の出力を前記分草用切断装置３５および刈刃１３へ伝動する前後方向の伝動軸２６を設け、該伝動軸２６を、前記側板６と前記支持フレーム４１との間に配置したコンバイン。【選択図】図７
2014117265.tif 000002
【特許請求の範囲】
【請求項１】
走行装置（２）の上側に脱穀装置（３）を設け、該脱穀装置（３）の横側前方に操縦部（７）を設け、該操縦部（７）の前側に刈取装置（４）を設け、該刈取装置（４）を、左右の側板（６）と底板（９）と後板（１０）により構成したテーブル（１１）に、分草体（２９）とリール（１２）と刈刃（１３）とオーガー（８）を設けた構成とし、前記テーブル（１１）は前記オーガー（８）を有する後テーブル部２８と分草体（２９）を有する前テーブル部（３０）とに分割すると共に、該前テーブル部（３０）を、前記刈刃（１３）を取付けた後テーブル部（２８）に取付ける第１ユニット（３１）と、前記刈刃（１３）を前端部に取付けた延長底板（９Ａ）を有する第２ユニット（３２）とに交換自在な構成とし、前テーブル部（３０）を前記第２ユニット（３２）に交換した状態で、刈取穀稈と未刈り穀稈を切断分草する分草用切断装置（３５）の上部を支持フレーム（４１）によって側板（６）に支持し、エンジンからの一定方向回転を往復回動運動に変換させる変換機構（２７）を設け、該変換機構（２７）の出力を前記分草用切断装置（３５）および刈刃（１３）へ伝動する前後方向の伝動軸（２６）を設け、該伝動軸（２６）を、前記側板６と前記支持フレーム（４１）との間に配置したコンバイン。
【請求項２】
請求項１記載の発明において、前記伝動軸（２６）は、前記前テーブル（３０）を、第１ユニット（３１）に交換した状態と第２ユニット（３２）とに交換した状態とで、長さの異なる複数の伝動軸（２６）を択一的に装着する構成としたコンバイン。
【請求項３】
請求項１記載の発明において、前記支持フレーム（４１）の中間部はリール（１２）を昇降させる上下用シリンダ（４７）の支持部（４８）と連結したコンバイン。
【請求項４】
請求項１または請求項２または請求項３において、前記分草用切断装置（３５）を上方に至るに従い外側に位置するように傾斜させたコンバイン。
【発明の詳細な説明】
【技術分野】
【０００１】
本発明は、コンバインに係るものである。
【背景技術】
【０００２】
従来、リールと刈刃とオーガーを有するテーブルの前側部分を、リールの側部に分草用切断装置有する第２ユニットと有していない第１ユニットとに交換自在にした構成は、公知である（特許文献１）。
【先行技術文献】
【特許文献】
【０００３】
【特許文献１】特開２０１１−１７７０８２号公報
【発明の概要】
【発明が解決しようとする課題】
【０００４】
前記公知例では、伝動軸が分草用切断装置とは反対側に配置され、この伝動軸から刈刃を介して分草用切断装置に動力を伝達する構成であるため、伝動機構が複雑化し、刈取装置の重量が増大するという課題がある。
本願は、第１ユニットと第２ユニットとの交換作業を容易にすると共に、交換作業を容易化と伝動機構の簡素化の両立を図ったものである。
【課題を解決するための手段】
【０００５】
請求項１の発明は、走行装置２の上側に脱穀装置３を設け、該脱穀装置３の横側前方に操縦部７を設け、該操縦部７の前側に刈取装置４を設け、該刈取装置４を、左右の側板６と底板９と後板１０により構成したテーブル１１に、分草体２９とリール１２と刈刃１３とオーガー８を設けた構成とし、前記テーブル１１は前記オーガー８を有する後テーブル部２８と分草体２９を有する前テーブル部３０とに分割すると共に、該前テーブル部３０を、前記刈刃１３を取付けた後テーブル部２８に取付ける第１ユニット３１と、前記刈刃１３を前端部に取付けた延長底板９Ａを有する第２ユニット３２とに交換自在な構成とし、前テーブル部３０を前記第２ユニット３２に交換した状態で、刈取穀稈と未刈り穀稈を切断分草する分草用切断装置３５の上部を支持フレーム４１によって側板６に支持し、エンジンからの一定方向回転を往復回動運動に変換させる変換機構２７を設け、該変換機構２７の出力を前記分草用切断装置３５および刈刃１３へ伝動する前後方向の伝動軸２６を設け、該伝動軸２６を、前記側板６と前記支持フレーム４１との間に配置したコンバインとしたものであり、エンジンからの回転を変換機構２７により正逆回転運動に変換させ、この変換機構２７の正逆回転運動を前後方向の伝動軸２６により刈刃１３に伝達して、穀稈を刈り取る。
この伝動軸２６は、切断用フレーム３６をテーブル１１の側板６に取付ける支持フレーム４１と側板６の間に配置しているので、刈取装置４の左右幅をコンパクト化する。
請求項２の発明は、前記伝動軸２６は、前記前テーブル３０を、第１ユニット３１に交換した状態と第２ユニット３２とに交換した状態とで、長さの異なる複数の伝動軸２６を択一的に装着する構成としたコンバインとしたものであり、第１ユニット３１の場合、刈刃１３が後側にあるので短い伝動軸２６に交換し、第２ユニット３２の場合刈刃１３が前側にあるので長い伝動軸２６に交換する。
請求項３の発明は、前記支持フレーム４１の中間部はリール１２を昇降させる上下用シリンダ４７の支持部４８と連結したコンバインとしたものであり、分草用切断装置３５は下部をテーブル１１の第２ユニット３２の側板６に固定状態に取付け、分草用切断装置３５の上部には支持フレーム４１の上部を取付け、支持フレーム４１の下部は後テーブル部２８に固定し、支持フレーム４１の中間部を上下用シリンダ４７の支持部４８に連結する。
請求項４の発明は、前記分草用切断装置３５を上方に至るに従い外側に位置するように傾斜させたコンバインとしたものであり、分草用切断装置３５は、切断刃３７が上方に至るに従い外側に位置して穀稈を切断して、未刈り穀稈を分草する。
【発明の効果】
【０００６】
請求項１の発明では、伝動軸２６を側板６と支持フレーム４１の間に配置しているので、第１ユニット３１と第２ユニット３２の交換作業を容易化しながらも、刈刃１３と分草用切断装置３５の伝動機構を簡単化して、刈取装置４の重量を低減することができる。また、伝動軸２６が支持フレーム４１の内側に位置することで、機外の障害物との接触による伝動軸２６の破損を防止することができる。
請求項２の発明では、長短の伝動軸２６を用意し、第１ユニット３１と第２ユニット３２によって選択使用するので、駆動部の構成を簡素にできると共に、第１ユニット３１と第２ユニット３２の交換作業を容易にできる。
請求項３の発明では、分草用切断装置３５を支持フレーム４１により強固に支持でき、分草用切断装置３５による未刈り穀稈の分草を確実に行うことができる。
請求項４の発明では、分草用切断装置３５の切断刃３７が上方ほど外側に傾斜しているので、未刈り穀稈の分草を確実に行うことができる。
【図面の簡単な説明】
【０００７】
【図１】コンバインの側面図。
【図２】第１ユニットとなる前テーブル部の側面図。
【図３】同平面図。
【図４】後テーブル部の側面図。
【図５】同一部の正面図。
【図６】第２ユニットを取付けた刈取装置の側面図。
【図７】同一部の正面図。
【図８】第２ユニットとなる前テーブル部の側面図。
【図９】同平面図。
【図１０】伝動機構の概略図。
【図１１】伝動軸の側面および平面図。
【図１２】伝動軸の他の実施例の側面および平面図。
【図１３】伝動軸の他の実施例の側面および平面図。
【図１４】伝動軸の他の実施例の側面および平面図。
【図１５】分草用切断装置の他の実施例の一部省略正面図。
【図１６】第２ユニットを取付けた刈取装置の側面図。
【図１７】分草用切断装置の他の実施例の一部省略正面図。
【図１８】分草用切断装置の他の実施例の一部省略正面図。
【図１９】刈刃ガードを設けた第１ユニットの側面図。
【図２０】刈刃ガードを設けた第２ユニットの側面図。
【図２１】掻込リールのリールタインの正面図および側面図。
【図２２】コンバインの側面図。
【図２３】コンバインの側面図。
【図２４】コンバインの正面図。
【図２５】コンバインの背面図。
【発明を実施するための形態】
【０００８】
本発明の一実施例を図面により説明すると、１は機体フレーム、２は機体フレーム１の下部に設けた走行装置、３は機体フレーム１上に設けた脱穀装置、４は刈取装置、５はグレンタンク、７は脱穀装置３の前方の一側に設けた操縦部である。
刈取装置４は、左右側板６と、後述するオーガー８の下方に位置する底板９と、左右の側板６と底板９とを連結するように設けた後板１０により構成したテーブル１１に、リール１２と、刈刃１３と前記オーガー８を設けて構成し、テーブル１１には搬送エレベーター１４の先端を取付け、搬送エレベーター１４の基部は脱穀装置３の脱穀室に接続する。
前記刈刃１３は、テーブル１１側の刈刃フレーム（図示省略）に固定状態に設けた下刃（図示省略）と左右に往復摺動する上刃（図示省略）により構成する。上刃の後面側には係合溝（図示省略）を設け、係合溝にはアーム２４（図７）の下端に設けたロッド２５の先端のローラ（図示省略）を係合させる。
【０００９】
アーム２４には前後方向の伝動軸２６の先端を着脱自在に取付ける。伝動軸２６の基部は変換機構２７に取付ける。変換機構２７はエンジンから伝達される一定方向回転を正逆往復回動運動に変換させる（図１０）。
そのため、エンジンからの回転が変換機構２７で正逆回動に変換され、変換機構２７は伝動軸２６を正逆回転させ、伝動軸２６はアーム２４の先端を左右往復移動させ、これにより上刃を左右に往復摺動させる。
本願の刈取装置４は、稲麦刈と菜種刈とを兼用する構成であり、前記テーブル１１は前記オーガー８を有する後テーブル部２８と分草体２９を有する前テーブル部３０とに分割可能に構成すると共に、該前テーブル部３０を第１ユニット３１と第２ユニット３２の夫々に交換自在に構成する。
したがって、本願では、第１ユニット３１を稲麦刈用とし、第２ユニット３２を菜種刈として交換する構成としている。
【００１０】
前記前テーブル部３０を第１ユニット（稲麦刈用ユニット）３１とした場合、第１ユニット３１には前記刈刃１３を設けず、後テーブル部２８の底板９の前端に前記刈刃１３を設ける。一方、前記前テーブル部３０を、第２ユニット（菜種刈用ユニット）３２とした場合では刈刃１３を第２ユニット３２の底板９（延長底板９Ａ）の前端に取付けて、第２ユニット３２の延長底板９Ａの前後長さ分、稲麦刈の場合よりも前方に刈刃１３を位置させる。
そのため、稲麦の刈取作業ではリール１２で引き起こして掻き込んだ（梳いた）状態の穀稈で刈刃１３により切断することで、切断姿勢を良好にして切断性能を向上させられ、一方、菜種では、穀稈の直径が太く株状になっているので、前方に配置した刈刃１３が切断した菜種穀稈をリール１２によりオーガー８に誘導でき、刈取作業を円滑にする。
前記刈取装置４のリール１２の左側には、刈取穀稈に絡む未刈り穀稈を分草するために、刈取穀稈と未刈り穀稈とを切断分草する分草用切断装置３５を設ける。分草用切断装置３５は、切断用フレーム３６に切断刃３７を取付けて構成する。
【００１１】
前記伝動軸２６の先端に別途アーム３８を設け、アーム３８と前記切断刃３７の駆動部３９との間にロッド４０を設ける。
分草用切断装置３５の切断用フレーム３６には、支持フレーム４１の先端を取付け、支持フレーム４１の基部は後テーブル部２８の側板６の外面に着脱自在に取付ける。なお、支持フレーム４１は、図７では、切断用フレーム３６と前後に重なっているので、理解を容易にするため、同一部材に異なる符号を付している。
この支持フレーム４１と側板６の間に前記伝動軸２６を配置する。
そのため、刈取装置４の左右幅を小さくする。
また、刈刃１３に回転伝動する伝動軸２６から伝動を受けるので、構成を簡素にできる。
前記第１ユニット３１と第２ユニット３２との交換に伴って、長短の伝動軸２６を用意し、この伝動軸２６を交換する。
伝動軸２６の基部のヨーク部４３は前後方向に分割組立自在に構成し（図１１）、ヨーク部４３の部分を分割して伝動軸２６を変換機構２７に対して着脱して交換する。
そのため、伝動軸２６の交換作業を容易にする。
【００１２】
即ち、伝動軸２６を分割することにより、第２ユニット３２から分草用切断装置３５を外さなくても、分草用切断装置３５が付いたまま第２ユニット３２をテーブル１１の後テーブル部２８から外せばよく、第１ユニット３１と第２ユニット３２との交換作業を容易にする。
図１２は、伝動軸２６の他の実施例であり、伝動軸２６を前記ヨーク部４３とシャフト部４４とに分割組立自在に構成し、シャフト部４４をヨーク部４３に対して着脱して伝動軸２６を交換する。
図１３は、伝動軸２６の他の実施例であり、伝動軸２６はヨーク部４３とシャフト部４４を有し、該シャフト部４４は前後方向の所定部分で分割し、前後に分割したシャフト部４４を接合部材（ジョイント部材）４５により接続する。
したがって、所定のシャフト部４４の部分を交換することにより伝動軸２６の長さを刈刃１３に位置に合わせて切り替える。
そのため、第１ユニット３１と第２ユニット３２との組み換えに必要な部品を減らせることができ、コストダウンできる。
この場合、稲麦刈の位置にある刈刃１３に対応する長さの伝動軸２６のシャフト部４４の先端に、接合部材４５を介して菜種刈用の位置にある刈刃１３に対応する長さの別途用意したシャフト部４４Ａを継ぎ足す構成でもよい（図１４）。
【００１３】
前記支持フレーム４１はリール１２の上下用シリンダ４７の支持部４８を通して固定する（図６）。
そのため、刈取装置４の左右幅を小さくし、前テーブル部３０は剛体なので、支持フレーム４１の支持剛性も向上させられる。
また、分草用切断装置３５は、切断刃３７を上方に至るに従い外側に位置するように傾斜させてもよい（図１５）。
切断刃３７を、外側傾斜させると、切断刃３７の下部をリール１２に接近させられ、分草作用を向上させられる。
前記切断刃３７は、固定刃を挟んで設けられる一対の移動刃３７により構成する（図１６）。
そのため、一対の移動刃３７が固定刃に対して互い違いに上下方向に摺動するので、切断性能を向上させられ、その結果、分草性能を向上させられる。
前記アーム３８は、左右方向に所定長さを有して形成し、アーム３８の左右中間部を伝動軸２６に取付ける（図１６）。
即ち、上下の切断刃３７は一つのアーム３８により駆動する構成とする。
アーム３８の左右両端にロッド４０を夫々設け、ロッド４０は上下の切断刃３７の各駆動部３９に接続する。
【００１４】
そのため、上下に一対の切断刃３７の上下移動を同期させられ、振動を軽減させられる。
分草用切断装置３５とリール１２のリールアーム５１またはリールフレーム５１Ａとの間には内側ガイド５２を設ける（図７，図１５）。
そのため、分草用切断装置３５により分草した作物をリール１２に寄せ、リール１２による掻込性能を向上させられる。
内側ガイド５２は、平面視後方に至るに従い内側に位置するように傾斜させる。
前記切断用フレーム３６と切断刃３７の外側には仕切板５３を設ける（図６）。
そのため、分草用切断装置３５で分草した未刈り状態の作物が刈取穀稈に再度絡むのを防止する。
前記内側ガイド５２と仕切板５３は一つの部品により構成する。
そのため、構成を簡素にする。
前記内側ガイド５２は、前記リールアーム５１より下側になる部分をリールアーム５１より内側に突出させる（図７，図１５）。
【００１５】
そのため、内側ガイド５２による内側への誘導案内性能を向上させられる。
また、リールアーム５１より下側部分をリールアーム５１より内側に突出させて内側ガイド５２とし、リールアーム５１より上側部分をリールアーム５１より外側に位置させて仕切板５３とする。
即ち、リール１２は上下に昇降するので、リールアーム５１と干渉しない最下降位置のリールアーム５１より下方の内側ガイド５２はリールアーム５１より内側に突出させるのである
図１８は、分草用切断装置３５の他の実施形態を示し、エンジンの動力が入力される入力プーリ５５に回転軸から偏心した位置にクランクロッドを設け、このクランクロッドにより切断刃３７を駆動する構成とし、切断刃３７の駆動部３９と、前記入力プーリー５５と、該入力プーリー５５に掛け回したベルトの側方にカバー５７を設けている。
そのため、分草用切断装置３５とリール１２の駆動部分の側方を一体のカバー５７により覆うことができ、未刈り稈が絡むのを防止する。
【００１６】
前記テーブル１１の側板６の先端に設けた分草体２９には軸棒形状のガイド体６０を設け、ガイド体６０は後方に至るに従い上側で且つ外側に位置するように傾斜させ、前記カバー５７の前側部分にはガイド体６０と相対的に平面視において略同一傾斜の傾斜面部６１を設ける（図１７、理解を容易にするため、傾斜面部６１に斜線付しているが、これにより構成は限定されない）。
そのため、分草体２９により分草された未刈り稈は、ガイド体６０とカバー５７の傾斜面部６１により外側に案内され、分草用切断装置３５とリール１２の駆動部分に未刈り稈が絡むのを防止する。
前記したように、テーブル１１は、後テーブル部２８に対して着脱自在の前テーブル部３０を、刈刃１３の取付位置の変更した第１ユニット３１と第２ユニット３２とに構成し、第１ユニット３１と第２ユニット３２の何れかを後テーブル部２８に取付ける。
前テーブル部３０の側板６の後側上部には、後テーブル部２８の側板６の上面に上方から嵌合する断面下向き「コ」の字形状の係合部６５を設ける。係合部６５は前テーブル部３０の側板６と後テーブル部２８の側板６との当接面より後方に突出させて、後テーブル部２８の側板６の上面の後側係合部６５Ａに上方から嵌合させ、ボルト６６により固定する。
【００１７】
そのため、前テーブル部３０の係合部６５を後テーブル部２８の後側係合部６５Ａの上面にボルト６６により固定するので、取付強度を向上させ、組立を容易にする。
前記前テーブル部３０の側板６と後テーブル部２８の側板６との当接面には、側板６と交差方向に屈曲させた当接平坦面６７を設け、前テーブル部３０の当接平坦面６７と後テーブル部２８の当接平坦面６７を前後に当接させて、両者をボルト６８により固定する。
そのため、前テーブル部３０の側板６の後側上部を、係合部６５により後テーブル部２８の上面に固定し、前テーブル部３０の側板６の後縁の当接平坦面６７を後テーブル部２８の前縁の当接平坦面６７に当接させるので、係合部６５と当接平坦面６７の二カ所により前テーブル部３０の重量を支持でき、支持強度を向上させられる。
なお、理解を容易にするため、ボルト６６およびボルト６８は、ボルトが明確に図示されていなが、固定用に螺合させるであろう部分にも符号を付している。
前テーブル部３０の左右の側板６の後側下部には、後方に突出して下部取付孔６９を有する下部取付部７０を夫々設ける。
【００１８】
また、前記前テーブル部３０は、第１ユニット３１とする場合、第１ユニット３１には刈刃１３を設けず、後テーブル部２８の底板９の前端に前記刈刃１３を設け、一方、前記前テーブル部３０を第２ユニット３２とする場合、刈刃１３を第２ユニット３２の延長底板９Ａの前端に取付けて、第２ユニット３２の延長底板９Ａの前後長さ分、稲麦刈の場合よりも前方に刈刃１３を位置させる。
そのため、稲麦の刈取作業ではリール１２で引き起こして掻き込んだ（梳いた）状態の穀稈で刈刃１３により切断することで、切断姿勢を良好にして切断性能を向上させられ、一方、菜種では、穀稈姿勢がそもそも株状になっているので、前方に配置した刈刃１３が切断した菜種穀稈をリール１２によりオーガー８に誘導でき、刈取作業を円滑にする。
また、後テーブル部２８の底板９の前端は下部取付面７１に形成し、第１ユニット３１の場合、下部取付面７１に刈刃１３の刈刃フレーム（図示省略）を取付け、第２ユニット３２の場合、前テーブル部３０の延長底板９Ａの後端面および側板６の下部を後テーブル部２８の底板９の下部取付面７１にボルト６８で固定する。
また、前テーブル部３０の後側上部を、係合部６５により後テーブル部２８の後側係合部６５Ａの上面に固定してから、前テーブル部３０の当接平坦面６７を後テーブル部２８の当接平坦面６７に当接させてボルト６８により固定すればよいので、取付作業が容易になり、一人での前テーブル部３０と後テーブル部２８の交換作業を行える。
【００１９】
なお、図示は省略するが、前テーブル部３０の側板６の係合部６５の取付孔に対応する部分の後テーブル部２８の後側係合部６５Ａには、前記取付孔に係合する係合ピンを設けてもよい。
このようにすると、前テーブル部３０と後テーブル部２８の位置決めを容易にし、一層、組立作業を容易にする。
また、第２ユニット３２を後テーブル部２８に装着した場合には、刈取装置４のリール１２の左側の分草用切断装置３５の切断用フレーム３６の下部は、前テーブル部３０の側板６側に取付け、切断用フレーム３６の上部に先端を取付けた支持フレーム４１の下部は後テーブル部２８の側板６側に着脱自在に取付ける。
そのため、支持フレーム４１の基部を後テーブル部２８の側板６側から外すと、前テーブル部３０は分草用切断装置３５ごと後テーブル部２８から取り外すことができ、着脱を容易にする。
第１ユニット３１と第２ユニット３２の刈刃１３の下方には刈刃ガード７２を設ける。刈刃１３は、テーブル１１の側板６の開口部７２Ａより未刈り穀稈側の外側まで摺動する構成としてテーブル１１内の穀稈の刈り残しを防止し、この側板６の外側に移動する刈刃１３がテーブル１１の側板６の外側にある未刈り穀稈の切断するのを刈刃ガード７２により防止する。
【００２０】
刈刃ガード７２は第１ユニット３１と第２ユニット３２の側板６に取付ける。刈刃ガード７２は断面が上向き「コ」の字形状に形成して、刈刃１３を下方から包囲している。
走行装置２のクローラ７３の前方の前記第２ユニット３２の延長底板９Ａの部位には、下方に突出するガイド体７４を設ける。
菜種刈りでは、切断して圃場に残った切断株が硬く、クローラ７３が切断株を踏むと損傷するおそれがあるので、クローラ７３の前方の第２ユニット３２の延長底板９Ａに、下方に突出するガイド体７４を設ける。
そのため、ガイド体７４が圃場に残った切断株を押しつぶすので、クローラ７３の損傷を防止する。
図２１は、リール１２のリールタイン７５に関するものであり、リールタイン７５を左右一対のタイン部７６の上部を連結部７７により連結し、連結部７７にリールタイン７５を取付けるスラットバー７８の後面に当接係合する係合部７９を設ける。
リールタイン７５は、タイン部７６をスラットバー７８の取付孔（図示省略）に挿通させ、連結部７７の上部をリールタイン７５の上面に当接させ、この状態でスラットバー７８の後面に係合部７９を弾力的に当接係合させる。
【００２１】
そのため、工具不要でリールタイン７５の取付を行え、リールタイン７５は連結部７７と係合部７９により支持されるので、強固に支持される。
脱穀装置３からグレンタンク５に穀粒を揚穀供給する揚穀筒８０の前部であって操縦部７の後部にエアクリーナー８１の本体を設ける（図２２）。
重量が嵩むエアクリーナー８１を、剛性の高い揚穀筒８０に取付けるので、強固に支持でき、揚穀筒８０の前部であって操縦部７の後部に設けているので、メンテナンスを容易にする。
前記エアクリーナー８１は、正面視において、グレンタンク５と脱穀装置３の上部カバー８２の「Ｖ」型空間内に設ける。
この位置に設けているので、メンテナンスを容易にする。
エアクリーナー８１は、グレンタンク５の上面より低く配置し、エアクリーナー８１に接続するプレエアクリーナー８３はグレンタンク５の上面より高く配置する。
そのため、プレエアクリーナー８３の設置高さを高くでき、清浄な空気を供給でき、また、プレエアクリーナー８３だけを高くさせているので、凹凸の少ないデザインにすることができる。
【００２２】
脱穀装置３の左側面前方位置にパイプ状の取付フレーム８４を設け、該取付フレーム８４に前照灯８５とバックミラー８６を設ける。
剛性のパイプ状の取付フレーム８４の構成であるから、前照灯８５とバックミラー８６を強固に支持すると共に、前照灯８５とバックミラー８６の支持構成の軽量化を図れる。
また、取付フレーム８４にウィンカ８７を設ける。
そのため、ウィンカ８７へのハーネス（図示省略）の配索が容易となる。
グレンタンク５の穀粒を排出する縦排出オーガ８８をグレンタンク５内の排出螺旋（図示省略）の軸心中心に外側に傾倒自在に構成し、この縦排出オーガ８８の支持フレーム８９にウィンカ９０と後照灯９１とリフレクタ９２を設ける。
そのため、電装部品を縦排出オーガ８８の支持フレーム８９に集約して設けることができ、ハーネス（図示省略）の配索が容易となる。
前記刈取装置４等を駆動するエンジン（図示省略）は、操縦部７の運転座席（図示省略）の下方に設け、エンジンの外側にラジエーター（図示省略）を設け、エンジンとラジエーターの間に冷却用のファン（図示省略）を設け、前記ラジエーターとファンをボックス形状のシュラウドボックス（図示省略）により包囲する。シュラウドボックス内にはインタークーラー（図示省略）を内蔵し、シュラウドボックスのラジエーター側の面にラジエーターネット（図示省略）を設ける。
【００２３】
そのため、シュラウドボックスとラジエーターネットを一体状に組み立てられ、着脱を容易にしてメンテナンスを容易にする。
シュラウドボックスの側面にもネット（図示省略）を設ける。
シュラウドボックスの上面にもネット（図示省略）を設ける。
【００２４】
（作用）
エンジンを始動し、走行装置２により機体を走行させると、刈取装置４のリール１２が回転し、未刈稈を掻き込み、掻込んだ穀稈を刈刃１３で刈取り、刈取った穀稈および穀粒を回転するオーガー８により集め、搬送エレベーター１４により脱穀装置３へ供給されて脱穀される。
本願の刈取装置４は、稲麦刈と菜種刈とを兼用する構成であり、前記テーブル１１は前記オーガー８を有する後テーブル部後テーブル部２８と分草体分草体２９を有する前テーブル部前テーブル部３０とに分割可能に構成すると共に、該前テーブル部３０を第１ユニット３１と第２ユニット３２の夫々に交換自在に構成しているので、稲麦刈のときは前テーブル部３０を刈用ユニット第１ユニット３１とし、菜種刈のときは前テーブル部３０を第２ユニット３２に交換する。
【００２５】
そのため、稲麦の刈取作業ではリール１２で引き起こして掻き込んだ（梳いた）状態の穀稈で刈刃１３により切断することで、切断姿勢を良好にして切断性能を向上させられ、一方、菜種では、穀稈姿勢がそもそも株状になっているので、第２ユニット３２の延長底板９Ａの前方に配置した刈刃１３が切断した菜種穀稈をリール１２によりオーガー８に誘導でき、刈取作業を円滑にする。
第２ユニット３２を装着したリール１２の左側には、刈取穀稈と未刈り穀稈を切断分草する分草用切断装置３５を設けているので、機体を前進させると、分草用切断装置３５がテーブル１１の側板６の上方にある未刈り穀稈を切断し、刈取穀稈と未刈り穀稈とを分草する。
分草用切断装置３５は、切断用フレーム３６に切断刃３７を取付け、切断刃３７の駆動部３９にロッド４０を取付け、ロッド４０にアーム３８を取付け、アーム３８に伝動軸２６の先端を取付け、伝動軸２６の基部はエンジンからの一定方向回転を往復回動運動に変換させる変換機構２７に接続しているので、変換機構２７がエンジンからの一定方向回転を往復回動運動に変換させた回転を、伝動軸２６を介して分草用切断装置３５に伝達し、切断刃３７を駆動する。
【００２６】
分草用切断装置３５の切断用フレーム３６には、支持フレーム４１の先端を取付け、支持フレーム４１の基部は後テーブル部２８の側板６の外面に着脱自在に取付け、この支持フレーム４１と側板６の間に伝動軸２６を配置しているので、刈取装置４の左右幅を小さくする。
また、刈刃１３に回転伝動する伝動軸２６から伝動を受けるので、構成を簡素にできる。
第１ユニット３１と第２ユニット３２との交換に伴って、長短の伝動軸２６を用意し、この伝動軸２６を交換する構成なので、伝動軸２６の交換作業を容易にし、その結果、第１ユニット３１と第２ユニット３２との交換作業を容易にする。
即ち、伝動軸２６を分割することにより、第２ユニット３２から分草用切断装置３５を外さなくても、分草用切断装置３５が付いたまま第２ユニット３２をテーブル１１の後テーブル部２８から外せばよく、第１ユニット３１と第２ユニット３２との交換作業を容易にする。
【００２７】
この場合、伝動軸２６の基部のヨーク部４３は前後方向に分割組立自在に構成しているので、ヨーク部４３の部分で分割して伝動軸２６を変換機構２７に対して着脱して交換する。
そのため、伝動軸２６の交換作業を容易にする。
図１２の伝動軸２６の他の実施例では、伝動軸２６をヨーク部４３とシャフト部４４とに分割組立自在に構成しているので、シャフト部４４をヨーク部４３に対して着脱して伝動軸２６を交換する。
図１３の伝動軸２６の他の実施例では、伝動軸２６はヨーク部４３とシャフト部４４を有し、該シャフト部４４は前後方向の所定部分で分割し、前後に分割したシャフト部４４を接合部材（ジョイント部材）４５により接続しているので、所定のシャフト部４４の部分を交換することにより伝動軸２６の長さを刈刃１３に位置に合わせて切り替える。
【００２８】
この場合、第１ユニット３１を装着した場合、刈刃１３はテーブル１１の後テーブル部２８の底板９の前側に位置するので、この短い伝動軸２６のシャフト部４４の先端に、接合部材４５を介して菜種刈用の位置にある刈刃１３に対応する長さの別途用意したシャフト部４４Ａを継ぎ足す構成にすることができる。
支持フレーム４１はリール１２の上下用シリンダ４７の支持部４８を通して固定しているので、刈取装置４の左右幅を小さくし、支持部４８は剛体なので、支持フレーム４１の支持剛性も向上させられる。
また、分草用切断装置３５は、切断刃３７を上方に至るに従い外側に位置するように傾斜させているので、切断刃３７の下部をリール１２に接近させられ、分草作用を向上させられる。
切断刃３７は、上下方向に一対の移動刃３７を設けて構成しているので、一対の移動刃３７が互いに上下方向に摺動するので、切断性能を向上させられ、その結果、分草性能を向上させられる。
【００２９】
アーム３８は、左右方向に所定長さを有して形成し、アーム３８の左右中間部を伝動軸２６に取付けているので、上下の切断刃３７は一つのアーム３８により駆動する構成となり、そのため、上下の一対の切断刃３７の上下移動を容易に同期させられ、振動を軽減させられる。
分草用切断装置３５とリール１２のリールアーム５１との間には内側ガイド５２を設けているので、分草用切断装置３５により分草した作物をリール１２に寄せ、リール１２による掻込性能を向上させられる。
切断用フレーム３６と切断刃３７の外側には仕切板５３を設けているので、分草用切断装置３５で分草した未刈り状態の作物が刈取穀稈に再度絡むのを防止する。
内側ガイド５２と仕切板５３は一つの部品により構成しているので、構成を簡素にする。
内側ガイド５２は、リールアーム５１より下側になる部分をリールアーム５１より内側に突出させているので、内側ガイド５２による内側への誘導案内性能を向上させられる。
【００３０】
しかして、テーブル１１は、後テーブル部２８に対して着脱自在の前テーブル部３０を、刈刃１３の取付位置の変更した第１ユニット３１と第２ユニット３２とに構成し、第１ユニット３１と第２ユニット３２の何れかを後テーブル部２８に取付け、前テーブル部３０の側板６の後側上部には、後テーブル部２８の側板６の後側係合部６５Ａの上面に上方から嵌合する断面下向き「コ」の字形状の係合部６５を設けているので、前テーブル部３０の係合部６５を後テーブル部２８の側板６の後側係合部６５Ａの上面に上方から嵌合させ、縦のボルト６６により固定する。
そのため、前テーブル部３０の係合部６５を後テーブル部２８の側板６の後側係合部６５Ａの上面にボルト６６により固定するので、取付強度を向上させ、組立を容易にする。
また、前テーブル部３０の係合部６５が後テーブル部２８の側板６の後側係合部６５Ａの上面に嵌合するので、係合部６５の後端面は刈取穀稈の移動方向の下手側になり、係合部６５の後端面に刈取穀稈が引っ掛かるのを防止でき、刈取作業を円滑に行うことができる。
【００３１】
また、前テーブル部３０の係合部６５を後テーブル部２８の側板６の後側係合部６５Ａの上面に上方から嵌合させ、縦のボルト６６により固定するので、重量物である前テーブル部３０を横からボルトにより固定する方法に比し、簡単に作業できる。
また、前テーブル部３０の係合部６５を後テーブル部２８の側板６の後側係合部６５Ａの上面に上方から嵌合させると、前テーブル部３０は係合部６５と後側係合部６５Ａにより支持されるので、片側の係合部６５をボルト６６により後側係合部６５Ａに固定し、次に、残りの係合部６５を上方から後テーブル部２８の側板６の後側係合部６５Ａに嵌合させて固定することができるので、一人でも取付作業を行える。
この点、前テーブル部３０の側板と後テーブル部２８の側板とを横方向からボルトによる固定する従来の組み立構成では、前テーブル部３０を支持する作業者とボルト締め作業者の二人の作業者が必要となり、組立作業が容易でないが、本願ではユニットの交換作業を容易に行える。
前テーブル部３０の側板６と後テーブル部２８の側板６との当接面には、側板６に対して交差方向に設けた当接平坦面６７を設け、前テーブル部３０の当接平坦面６７と後テーブル部２８の当接平坦面６７を前後に当接させて、両者を前後方向のボルト６８により固定するので、前テーブル部３０の後側上部を、係合部６５により後テーブル部２８の後側係合部６５Ａの上面に固定し、前テーブル部３０の側板６の後縁の当接平坦面６７を後テーブル部２８の前縁の当接平坦面６７に当接させることになり、係合部６５および後側係合部６５Ａと当接平坦面６７の二カ所により前テーブル部３０の重量を支持でき、支持強度を向上させられる。
【００３２】
また、前テーブル部３０の後側上部を、係合部６５により後テーブル部２８の後側係合部６５Ａの上面に固定してから、前テーブル部３０の当接平坦面６７を後テーブル部２８の当接平坦面６７に当接させてボルト６８により固定すればよいので、取付作業が容易になり、一人での前テーブル部３０と後テーブル部２８の交換作業を行える。
また、第２ユニット３２を後テーブル部２８に装着した場合には、刈取装置４のリール１２の左側の分草用切断装置３５の切断用フレーム３６の下部は、前テーブル部３０の側板６側に取付け、切断用フレーム３６の上部に先端を取付けた支持フレーム４１のは後テーブル部２８の側板６側に着脱自在に取付けているので、支持フレーム４１の基部を後テーブル部２８の側板６側から外すと、前テーブル部３０は分草用切断装置３５ごと後テーブル部２８から取り外すことができ、着脱を容易にする。
また、前テーブル部３０の左右の側板６の後側下部には、後方に突出して下部取付孔６９を有する下部取付部７０を夫々設けているので、下部取付部７０を後テーブル部２８の側板６の前端にボルト６８により固定する。
【００３３】
そのため、係合部６５と当接平坦面６７に加えて下部取付部７０により、上中下の三カ所の取付面により強固に支持固定される。
また、後テーブル部２８の底板９の前端は下部取付面７１に形成しているので、第１ユニット３１の場合、下部取付面７１に刈刃１３の刈刃フレーム（図示省略）を取付け、第２ユニット３２の場合、前テーブル部３０の延長底板９Ａの後端面をボルト６８で固定でき、第１ユニット３１と第２ユニット３２の両者において後テーブル部２８の底板９の下部取付面７１を活用でき、夫々合理的な構成となる。
第１ユニット３１と第２ユニット３２の刈刃１３の下方には刈刃ガード７２を設けているので、刈刃１３を、テーブル１１の側板６より未刈り穀稈側の外側まで摺動する構成としてテーブル１１内の穀稈の刈り残しを防止しても、この側板６の外側に移動する刈刃１３がテーブル１１の側板６の外側にある未刈り穀稈の切断するのを刈刃ガード７２により防止する。
【００３４】
走行装置２のクローラ７３の前方の前記第２ユニット３２の延長底板９Ａの部位には、下方に突出するガイド体７４を設けているので、ガイド体７４が圃場に残った切断株を押しつぶすので、クローラ７３の損傷を防止する。
なお、前記した各実施例は、理解を容易にするために、個別または混在させて図示および説明しているが、これらの実施例は夫々種々組合せ可能であり、これらの表現によって、構成・作用等が限定されるものではなく、また、相乗効果を奏する場合も勿論存在する。
【符号の説明】
【００３５】
１…機体フレーム、２…走行装置、３…脱穀装置、４…刈取装置、５…グレンタンク、６…側板、７…操縦部、８…オーガー、９…底板、９Ａ…延長底板、１０…後板、１１…テーブル、１２…リール、１３…刈刃、１４…搬送エレベーター、２４…アーム、２５…ロッド、２６…伝動軸、２７…変換機構、２８…後テーブル部、２９…分草体、３０…前テーブル部、３１…第１ユニット、３２…第２ユニット、３５…分草用切断装置、３６…切断用フレーム、３７…切断刃（移動刃）、３８…アーム、３９…駆動部、４０…ロッド、４１…支持フレーム、４１Ａ…ステー、４３…ヨーク部、４４…シャフト部、４５…接合部材、４７…上下用シリンダ、４８…支持部、５１…リールアーム、５１Ａ…リールフレーム、５２…内側ガイド、５３…仕切板、５５…入力プーリー、５６…ベルト、５７…カバー、６０…ガイド体、６１…傾斜面部、６５…係合部、６５Ａ…後側係合部、６６…ボルト、６７…当接平坦面、６８…ボルト、７２…刈刃ガード、７３…クローラ、７４…ガイド体、７５…リールタイン、７６…タイン部、７７…連結部、７８…スラットバー、７９…係合部、８０…揚穀筒、８１…エアクリーナー、８２…上部カバー、８３…プレエアクリーナー、８４…取付フレーム、８５…前照灯、８６…バックミラー、８７…ウィンカ、８８…縦排出オーガ、８９…支持フレーム、９０…ウィンカ、９１…後照灯、９２…リフレクタ。
【図１】
2014117265.tif 000003
【図２】
2014117265.tif 000004
【図３】
2014117265.tif 000005
【図４】
2014117265.tif 000006
【図５】
2014117265.tif 000007
【図６】
2014117265.tif 000008
【図７】
2014117265.tif 000009
【図８】
2014117265.tif 000010
【図９】
2014117265.tif 000011
【図１０】
2014117265.tif 000012
【図１１】
2014117265.tif 000013
【図１２】
2014117265.tif 000014
【図１３】
2014117265.tif 000015
【図１４】
2014117265.tif 000016
【図１５】
2014117265.tif 000017
【図１６】
2014117265.tif 000018
【図１７】
2014117265.tif 000019
【図１８】
2014117265.tif 000020
【図１９】
2014117265.tif 000021
【図２０】
2014117265.tif 000022
【図２１】
2014117265.tif 000023
【図２２】
2014117265.tif 000024
【図２３】
2014117265.tif 000025
【図２４】
2014117265.tif 000026
【図２５】
2014117265.tif 000027